(57)【要約】【課題】従来の販売管理システム（ＰＯＳ）は単品毎の販売データを管理するには有効な仕組みであるが、一定の限界があった。すなわち、情報収集のタイミングが売上時点であるため、顧客がなぜ買ったのか、なぜ買わなかったのかという購買に至るまでの情報を収集できない弱点があった。【解決手段】ＲＦＩＤリーダ／ライター（１２）を付けたカート（１０）と買い物かごが売り場を通り過ぎると、商品ケース（２０）のコーナーの随所に設置してあるＲＦＩＤタグ（２１）を読み取る。顧客が決済する際に、カードを提示すると該当顧客情報と動線、購買商品リスト情報がデータベースに登録される。これによって、推測に頼っていた顧客の動線と足を止める時間を秒単位まで把握することが可能になる。【選択図】図１
2007257335.tif 000002
【特許請求の範囲】
【請求項１】
利用者と共に移動する移動体に設けられた読取装置と、
前記利用者が接近する可能性がある拠点毎に設けられ、前記読取装置により情報を読み取られる無線タグと、
前記移動体の通信装置を介して前記情報を受け取り、前記情報及び前記利用者の属性情報に基づいて、前記利用者の行動パターンを分析する分析用サーバと、
前記属性情報を管理し、前記属性情報を前記分析用サーバに提供する情報管理サーバと
を具備する
情報収集システム。
【請求項２】
請求項１に記載の情報収集システムにおいて、
前記拠点は、店舗内の商品棚であり、
前記情報管理サーバは、前記属性情報と共に、前記利用者が購入した商品に関する購買情報を前記分析用サーバに提供し、
前記分析用サーバは、取得した各種の情報に対して、データマイニングを用いて分析する
情報収集システム。
【請求項３】
請求項２に記載の情報収集システムにおいて、
前記利用者が前記店舗内のレジ（金銭出納器）で決済した時、前記レジは、前記属性情報及び前記購買情報を、前記情報管理サーバに登録する
情報収集システム。
【請求項４】
請求項１に記載の情報収集システムにおいて、
前記移動体は、
光エネルギー又は運動エネルギーを電気に変換するエネルギー変換器
を具備する
情報収集システム。
【請求項５】
請求項１に記載の情報収集システムにおいて、
前記移動体は、
前記無線タグを認識するセンサーと、
前記センサーが前記無線タグの１つを認識してから認識しなくなるまでの時間を計測する計測装置と
を具備する
情報収集システム。
【請求項６】
顧客と共に店舗内を移動するショッピングカートに設けられた読取装置と、
前記店舗内の商品棚に設けられ、前記読取装置により情報を読み取られる無線タグと、
前記ショッピングカートに設けられた通信装置を介して前記情報を受け取り、前記情報、前記顧客の属性情報及び前記顧客が購入した商品に関する購買情報に基づいて、前記顧客の行動パターンを分析する分析用サーバと、
前記属性情報及び前記購買情報を管理し、前記属性情報を前記分析用サーバに提供する情報管理サーバと
を具備する
情報収集システム。
【請求項７】
請求項６に記載の情報収集システムにおいて、
前記顧客が前記店舗内のレジ（金銭出納器）で決済した時、前記レジは、前記属性情報及び前記購買情報を、前記情報管理サーバに登録する
情報収集システム。
【請求項８】
従業員と共に店舗内を移動するハンディターミナルに設けられた読取装置と、
前記店舗内の商品棚に設けられ、前記読取装置により情報を読み取られる無線タグと、
前記ハンディターミナルから前記情報を受け取り、前記情報、前記従業員の属性情報及び前記従業員が購入した商品に関する購買情報に基づいて、前記従業員の行動パターンを分析する分析用サーバと、
前記属性情報及び前記購買情報を管理し、前記属性情報を前記分析用サーバに提供する情報管理サーバと
を具備する
情報収集システム。
【請求項９】
利用者と共に建物内を移動する通信端末と、
前記利用者が接近する可能性がある前記建物内の主要な場所毎に設けられ、前記通信端末により情報を読み取られる無線タグと、
前記通信端末から前記情報を受け取り、前記情報及び前記利用者の属性情報に基づいて、前記利用者の行動パターンを分析する分析用サーバと、
前記属性情報を管理し、前記属性情報を前記分析用サーバに提供する情報管理サーバと
を具備する
情報収集システム。
【請求項１０】
利用者と共に地域内を移動する通信端末と、
前記利用者が接近する可能性がある前記地域内の施設毎に設けられ、前記通信端末により情報を読み取られる無線タグと、
前記通信端末から前記情報を受け取り、前記情報及び前記利用者の属性情報に基づいて、前記利用者の行動パターンを分析する分析用サーバと、
前記属性情報を管理し、前記属性情報を前記分析用サーバに提供する情報管理サーバと
を具備する
情報収集システム。
【請求項１１】
利用者と共に地域内を移動する乗り物に設けられた読取装置と、
前記利用者が接近する可能性がある前記地域内の施設毎に設けられ、前記読取装置により情報を読み取られる無線タグと、
前記乗り物に設けられた通信装置を介して前記情報を受け取り、前記情報及び前記利用者の属性情報に基づいて、前記利用者の行動パターンを分析する分析用サーバと、
前記属性情報を管理し、前記属性情報を前記分析用サーバに提供する情報管理サーバと
を具備する
情報収集システム。
【請求項１２】
利用者と共に移動し、無線タグを読み取ることが可能な移動体が、拠点毎に設けられた無線タグから情報を取得するステップと、
前記移動体が前記情報を分析用サーバに通知するステップと、
前記利用者の属性情報を管理する情報管理サーバが、前記属性情報を前記分析用サーバに提供するステップを更に具備する
前記分析用サーバが、前記情報及び前記属性情報に基づいて、前記利用者の行動パターンを分析するステップと
を具備する
情報収集方法。
【請求項１３】
顧客と共に店舗内を移動するカートから、前記カートが前記店舗内の商品棚に設けられた無線タグから読み取った情報を受信するステップと、
前記情報を基に、前記顧客の前記店舗内での回遊行動を示す動線情報を作成するステップと、
前記顧客の識別情報を示す顧客情報、及び前記顧客が購入した商品を示す購買情報を取得するステップと、
前記動線情報、前記顧客情報、及び前記購買情報に対して、データマイニングによる分析を行うステップと
を具備する
情報収集方法。
【請求項１４】
従業員と共に店舗内を移動するハンディターミナルから、前記ハンディターミナルが前記店舗内の商品棚に設けられた無線タグから読み取った情報を受信するステップと、
前記情報を基に、前記従業員の前記店舗内での回遊行動を示す動線情報を作成するステップと、
前記従業員の識別情報を示す従業員情報を取得するステップと、
前記動線情報及び前記従業員情報に基づいて、前記従業員の行動パターンを分析するステップと
を具備する
情報収集方法。
【請求項１５】
利用者と共に建物内を移動する通信端末から、前記通信端末が前記建物内の主要な場所に設けられた無線タグから読み取った情報を受信するステップと、
前記情報を基に、前記利用者の前記建物内での回遊行動を示す動線情報を作成するステップと、
前記利用者の識別情報を示す利用者情報、及び前記利用者が購入した商品を示す購買情報を取得するステップと、
前記動線情報及び前記利用者情報に基づいて、前記利用者の行動パターンを分析するステップと
を具備する
情報収集方法。
【請求項１６】
利用者と共に地域内を移動する通信端末から、前記通信端末が前記地域内の施設に設けられた無線タグから読み取った情報を受信するステップと、
前記情報を基に、前記利用者の前記地域内での回遊行動を示す動線情報を作成するステップと、
前記利用者の識別情報を示す利用者情報、及び前記利用者が購入した商品を示す購買情報を取得するステップと、
前記動線情報及び前記利用者情報に基づいて、前記利用者の行動パターンを分析するステップと
を具備する
情報収集方法。
【発明の詳細な説明】
【技術分野】
【０００１】
本発明は、情報収集システムに関し、特にＲＦＩＤを用いた情報収集システムに関する。
【背景技術】
【０００２】
従来の販売管理システム（ＰＯＳ）は単品毎の販売データを管理するには有効な仕組みであるが、一定の限界があった。すなわち、顧客情報収集のタイミングが売上時点であるため、顧客がなぜ買ったのか、なぜ買わなかったのかという購買に至るまでの情報を収集できない弱みがあった。そのために回遊性を高めるための仮説立案に多くの時間を要していた。また、回遊性を高めるため、或いは売上向上のために、いかに効率的に仮説立案するかが従来の課題であった。課題解決するために既存特許においては、ショッピングカート側にＲＦＩＤ（Ｒａｄｉｏ  Ｆｒｅｑｕｅｎｃｙ  Ｉｄｅｎｔｉｆｉｃａｔｉｏｎ）タグを備え、商品棚にＲＦＩＤリーダを備えていた。ＲＦＩＤタグの例としては、無線ＩＣタグがある。
【０００３】
関連する技術として、特開２００２−１３２８８６号公報にショッピングカートシステムが開示されている。
このショッピングカートシステムは、ＩＤタグと、ＩＤリーダと、ＩＤデータ処理手段と、移動経路処理手段とを備える。
ＩＤタグは、床に所定の間隔で配置され、電磁誘導方式により電力の供給を受け、それぞれ固有のＩＤデータを送信する。ＩＤリーダは、前記床上を移動するショッピングカートに取り付けられ、前記ＩＤタグに電力を供給してそのＩＤタグから送信されたＩＤデータを受信する。ＩＤデータ処理手段は、前記ＩＤリーダに受信されたＩＤデータを入力し、そのＩＤデータと前記床上の空間位置を対応付けるマッピングテーブルを基に前記ショッピングカートの位置情報に変換する。移動経路処理手段は、前記ＩＤデータ処理手段で得られた前記ショッピングカートの位置情報を時系列で処理してその移動経路を割り出す。
【０００４】
特開２００２−１６３６２０号公報にハイブリッドＩＤシステムが開示されている。
この従来技術は、ＲＦＩＤ機能のＩＤ識別機能を拡大したカードを用いることによるハイブリッドＩＤシステムにおいて、ＲＦＩＤ機能に対し拡散式赤外線送受信機能を併せ有するようにし、所定エリアの人物や事物の進入、退出や在否の有無と存在時間の検出が行えるようにすることを特徴とする。
【０００５】
特開２００２−２０８０７０号公報に特典ポイント付与方法及びシステムが開示されている。
この特典ポイント付与システムは、複数の受信機と、行動量検出手段と、特典ポイント決定手段と、特典ポイント累計記憶手段とを備える。
複数の受信機は、店内の異なる売り場に設けられ顧客に保持された発信機から発信された電波を受信し当該電波から当該発信機に記憶された識別情報を検出する。行動量検出手段は、前記複数の受信機の検出結果に基づいて発信機を保持する各顧客の店内の行動量を検出する。特典ポイント決定手段は、発信機を保持する各顧客について検出された行動量に基づいて当該顧客に与える特典ポイントを決定する。特典ポイント累計記憶手段は、同一の顧客の異なる来店の機会のそれぞれに対して前記決定手段により決定された複数の特典ポイントの累計を記憶する。
【０００６】
特開２００３−３６４７９号公報にＲＦＩＤを用いた店員及び業務の管理のための販売支援装置が開示されている。
この販売支援装置は、店員に携帯され、情報を記憶したＲＦＩＤが内蔵されたＩＤカードと、金銭登録を行う装置本体とを有する。
前記装置本体は、ＲＦＩＤに記憶された情報を読み取るＲＦＩＤ読取手段と、店員によって処理される業務の少なくとも一部を処理する外部装置と、前記ＲＦＩＤ読取手段で読み取られた情報を処理して店員及び業務を管理する制御手段とを含んで構成されることを特徴とする。
【０００７】
特開２００５−２０２７１３号公報に来客管理システムが開示されている。
この来客管理システムは、検知手段と、読み取り手段と、記憶手段と、出力手段とを備える。
検知手段は、顧客を識別するためのＲＦＩＤ内蔵カードの店舗内における位置情報を検知する。読み取り手段は、前記顧客の購入物情報を読み取る。記憶手段は、前記検知手段から検知されたＲＦＩＤ内蔵カードの位置情報を記憶し、前記読み取り手段から読み取られた購入物情報を前記ＲＦＩＤ内蔵カードと関連付けて記憶する。検知手段、読み取り手段、及び記憶手段は、ネットワークで接続されている。出力手段は、該記憶手段に記憶されたデータからＲＦＩＤ内蔵カードを保有する保有者の店舗内における移動経路情報と該保有者の購入物情報とを関連付けて出力する。
【０００８】
【特許文献１】特開２００２−１３２８８６号公報
【特許文献２】特開２００２−１６３６２０号公報
【特許文献３】特開２００２−２０８０７０号公報
【特許文献４】特開２００３−３６４７９号公報
【特許文献５】特開２００５−２０２７１３号公報
【発明の開示】
【発明が解決しようとする課題】
【０００９】
本発明の目的は、推測に頼っていた顧客動線情報を秒単位まで分析することを可能にする情報収集システムを提供することである。
本発明の他の目的は、推測に頼っていた顧客動線情報を秒単位まで分析することを可能にする情報収集システムを提供することである。
本発明の更に他の目的は、データマイニング分析により、店舗回遊性を向上するための情報収集システムを提供することである。
本発明の更に他の目的は、仕入商品の最適化で収益率を向上するための情報収集システムを提供することである。
【課題を解決するための手段】
【００１０】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【００１１】
本発明の情報収集システムは、利用者と共に移動する移動体に設けられた読取装置（１２）と、前記利用者が接近する可能性がある拠点毎に設けられ、前記読取装置（１２）により情報を読み取られる無線タグ（２１）と、前記移動体の通信装置を介して前記情報を受け取り、前記情報及び前記利用者の属性情報に基づいて、前記利用者の行動パターンを分析する分析用サーバ（３０）と、前記属性情報を管理し、前記属性情報を前記分析用サーバ（３０）に提供する情報管理サーバ（４０）とを具備する。
【００１２】
前記拠点は、店舗内の商品棚であり、前記情報管理サーバ（４０）は、前記属性情報と共に、前記利用者が購入した商品に関する購買情報を前記分析用サーバ（３０）に提供し、前記分析用サーバ（３０）は、取得した各種の情報に対して、データマイニングを用いて分析する。
【００１３】
前記利用者が前記店舗内のレジ（金銭出納器）で決済した時、前記レジは、前記属性情報及び前記購買情報を、前記情報管理サーバ（４０）に登録する。
【００１４】
前記移動体は、光エネルギー又は運動エネルギーを電気に変換するエネルギー変換器（１４）
を具備する。
【００１５】
前記移動体は、前記無線タグ（２１）を認識するセンサー（１１）と、前記センサー（１１）が前記無線タグ（２１）の１つを認識してから認識しなくなるまでの時間を計測する計測装置（１３）とを具備する。
【００１６】
本発明の他の情報収集システムは、顧客と共に店舗内を移動するショッピングカート（１０）に設けられた読取装置（１２）と、前記店舗内の商品棚に設けられ、前記読取装置（１２）により情報を読み取られる無線タグ（２１）と、前記ショッピングカート（１０）に設けられた通信装置を介して前記情報を受け取り、前記情報、前記顧客の属性情報及び前記顧客が購入した商品に関する購買情報に基づいて、前記顧客の行動パターンを分析する分析用サーバ（３０）と、前記属性情報及び前記購買情報を管理し、前記属性情報を前記分析用サーバ（３０）に提供する情報管理サーバ（４０）とを具備する。
【００１７】
前記顧客が前記店舗内のレジ（金銭出納器）で決済した時、前記レジは、前記属性情報及び前記購買情報を、前記情報管理サーバ（４０）に登録する。
【００１８】
本発明の更に他の情報収集システムは、従業員と共に店舗内を移動するハンディターミナル（６０）に設けられた読取装置（１２）と、前記店舗内の商品棚に設けられ、前記読取装置（１２）により情報を読み取られる無線タグ（２１）と、前記ハンディターミナル（６０）から前記情報を受け取り、前記情報、前記従業員の属性情報及び前記従業員が購入した商品に関する購買情報に基づいて、前記従業員の行動パターンを分析する分析用サーバ（３０）と、前記属性情報及び前記購買情報を管理し、前記属性情報を前記分析用サーバ（３０）に提供する情報管理サーバ（４０）とを具備する。
【００１９】
本発明の更に他の情報収集システムは、利用者と共に建物内を移動する通信端末と、前記利用者が接近する可能性がある前記建物内の主要な場所毎に設けられ、前記通信端末により情報を読み取られる無線タグ（２１）と、前記通信端末から前記情報を受け取り、前記情報及び前記利用者の属性情報に基づいて、前記利用者の行動パターンを分析する分析用サーバ（３０）と、前記属性情報を管理し、前記属性情報を前記分析用サーバ（３０）に提供する情報管理サーバ（４０）とを具備する。
【００２０】
本発明の更に他の情報収集システムは、利用者と共に地域内を移動する通信端末と、
前記利用者が接近する可能性がある前記地域内の施設毎に設けられ、前記通信端末により情報を読み取られる無線タグ（２１）と、前記通信端末から前記情報を受け取り、前記情報及び前記利用者の属性情報に基づいて、前記利用者の行動パターンを分析する分析用サーバ（３０）と、前記属性情報を管理し、前記属性情報を前記分析用サーバ（３０）に提供する情報管理サーバ（４０）とを具備する。
【００２１】
本発明の更に他の情報収集システムは、利用者と共に地域内を移動する乗り物に設けられた読取装置（１２）と、前記利用者が接近する可能性がある前記地域内の施設毎に設けられ、前記読取装置（１２）により情報を読み取られる無線タグ（２１）と、前記乗り物に設けられた通信装置を介して前記情報を受け取り、前記情報及び前記利用者の属性情報に基づいて、前記利用者の行動パターンを分析する分析用サーバ（３０）と、前記属性情報を管理し、前記属性情報を前記分析用サーバ（３０）に提供する情報管理サーバ（４０）とを具備する。
【００２２】
本発明の情報収集方法は、利用者と共に移動し、無線タグ（２１）を読み取ることが可能な移動体が、拠点毎に設けられた無線タグ（２１）から情報を取得するステップと、前記移動体が前記情報を分析用サーバ（３０）に通知するステップと、前記利用者の属性情報を管理する情報管理サーバ（４０）が、前記属性情報を前記分析用サーバ（３０）に提供するステップと、前記分析用サーバ（３０）が、前記情報及び前記属性情報に基づいて、前記利用者の行動パターンを分析するステップとを具備する。
【００２３】
本発明の他の情報収集方法は、顧客と共に店舗内を移動するカート（１０）から、前記カート（１０）が前記店舗内の商品棚に設けられた無線タグ（２１）から読み取った情報を受信するステップと、前記情報を基に、前記顧客の前記店舗内での回遊行動を示す動線情報を作成するステップと、前記顧客の識別情報を示す顧客情報、及び前記顧客が購入した商品を示す購買情報を取得するステップと、前記動線情報、前記顧客情報、及び前記購買情報に対して、データマイニングによる分析を行うステップとを具備する。
【００２４】
本発明の更に他の情報収集方法は、従業員と共に店舗内を移動するハンディターミナル（６０）から、前記ハンディターミナル（６０）が前記店舗内の商品棚に設けられた無線タグ（２１）から読み取った情報を受信するステップと、前記情報を基に、前記従業員の前記店舗内での回遊行動を示す動線情報を作成するステップと、前記従業員の識別情報を示す従業員情報を取得するステップと、前記動線情報及び前記従業員情報に基づいて、前記従業員の行動パターンを分析するステップとを具備する。
【００２５】
本発明の更に他の情報収集方法は、利用者と共に建物内を移動する通信端末から、前記通信端末が前記建物内の主要な場所に設けられた無線タグ（２１）から読み取った情報を受信するステップと、前記情報を基に、前記利用者の前記建物内での回遊行動を示す動線情報を作成するステップと、前記利用者の識別情報を示す利用者情報、及び前記利用者が購入した商品を示す購買情報を取得するステップと、前記動線情報及び前記利用者情報に基づいて、前記利用者の行動パターンを分析するステップとを具備する。
【００２６】
本発明の更に他の情報収集方法は、利用者と共に地域内を移動する通信端末から、前記通信端末が前記地域内の施設に設けられた無線タグ（２１）から読み取った情報を受信するステップと、前記情報を基に、前記利用者の前記地域内での回遊行動を示す動線情報を作成するステップと、前記利用者の識別情報を示す利用者情報、及び前記利用者が購入した商品を示す購買情報を取得するステップと、前記動線情報及び前記利用者情報に基づいて、前記利用者の行動パターンを分析するステップとを具備する。
【発明の効果】
【００２７】
第１の効果は、来場客の動線を分析できることにある。その理由は、ＲＦＩＤを使用することでリアルタイムに動線情報を収集できるためである。
第２の効果は、顧客の回遊性を高めることで客単価が向上できることにある。その理由は、動線情報を分析することで店舗レイアウトを最適化することができるからである。客単価とは、動線長×立ち寄り率×視認率×買い上げ率×買上個数×商品単価で定義する。動線長とは、商品のくくり方やゾーニングの工夫、ワンウェイコントロール（一方向の強制動線）、店舗内の見通しを向上させることで改善できる。
第３の効果は、収益性を向上できることにある。その理由は、動線情報を分析することで仕入商品の最適化することができるからである。
【発明を実施するための最良の形態】
【００２８】
以下に本発明の第１実施形態について添付図面を参照して説明する。
図１に示すように、本発明の情報収集システムは、ショッピングカート（以下、カート）１０と、ＲＦＩＤタグ付き商品ケース（以下、商品ケース）２０と、顧客購買情報分析サーバ３０と、販売管理ＰＯＳサーバ４０を備える。
【００２９】
カート１０は、アンテナ（センサー）１１と、ＲＦＩＤリーダ／ライター１２と、組み込みＰＣ１３と、エネルギー変換器１４を備える。なお、カート１０は、買い物篭でも良い。商品ケース２０は、ＲＦＩＤタグ２１を備える。なお、１つの商品ケース２０が、複数のＲＦＩＤタグ２１（２１−ｉ、ｉ＝１〜ｎ：ｎはタグ数）を備えていても良い。顧客購買情報分析サーバ３０は、動線情報３１を有する。販売管理ＰＯＳサーバ４０は、顧客情報４１と、購買情報４２を有する。
【００３０】
アンテナ（センサー）１１は、商品ケース２０にカート１０が近づくと、電磁誘導方式又は電波方式により、商品ケース２０に設置してあるＲＦＩＤタグ２１を自動認識する。ＲＦＩＤリーダ／ライター１２は、「店舗内でどのようなプロセスを踏んで購入に至ったか」を示す動線情報３１を読み取り、組み込みＰＣ１３へ送信する。組み込みＰＣ１３は、ＲＦＩＤリーダ／ライター１２から受信した動線情報３１をネットワーク１００を通じて、顧客購買情報分析サーバ３０に登録する。エネルギー変換器１４は、光や運動エネルギーを電気に変換し、組み込みＰＣ１３へ電力を供給する。
【００３１】
ＲＦＩＤタグ２１は、カート１０により情報を読み取られる。ＲＦＩＤタグ２１が有する情報には、該ＲＦＩＤタグ２１の設置場所を示す位置情報や、該ＲＦＩＤタグ２１の近傍に展示された商品に関する情報を含めても良い。なお、ＲＦＩＤタグ２１を設置する位置は、無作為ではなく、顧客が接近する可能性がある場所で、顧客がそのＲＦＩＤタグの近傍に接近したと識別できる位置であることが望ましい。
【００３２】
動線情報３１は、顧客や商品の情報を蓄積し、統合し、管理するデータベースに蓄積された情報である。動線情報３１は、店舗内での顧客の移動経路といった行動パターンを示す。
【００３３】
顧客情報４１は、「誰が買ったか」を示す顧客基本情報データを格納するデータベースに蓄積された情報である。購買情報４２は、「誰がどの商品を何個買ったか」を示す購入データと、動線情報４１と顧客基本情報データを関連付けた動線情報データとを格納するデータベースに蓄積された情報である。
【００３４】
なお、販売管理ＰＯＳサーバ４０は、必要に応じて顧客購買情報分析サーバ３０に顧客情報４１と購買情報４２を提供する。顧客購買情報分析サーバ３０は、販売管理ＰＯＳサーバ４０から得た情報に基づいて動線を分析する。膨大な量の動線情報を分析するためには、複数のサーバを用いることが望ましいため、ここでは、顧客購買情報分析サーバ３０と販売管理ＰＯＳサーバ４０を用意し、各々のサーバに管理対象を分けている。但し、実際には、十分な処理能力を有する大規模サーバを用いて、１台のサーバで管理するようにしても良い。この１台のサーバは、顧客購買情報分析サーバ３０と販売管理ＰＯＳサーバ４０を組み合わせたものである。
【００３５】
この時、顧客購買情報分析サーバ３０で管理される情報は、分析用クライアント５０を用いて閲覧することが可能である。分析用クライアント５０は、顧客購買情報を分析し、結果を表示する。
【００３６】
顧客情報４１の例として、顧客ＩＤ、住所、氏名、性別、年齢、電話番号、メールアドレス、購買ＩＤが考えられる。
購買情報４２の例として、購買ＩＤ、商品名、商品単価、購買数量、動線情報が考えられる。
【００３７】
図２、図３をもとに、実施例の動作を説明する。
図２では店舗レイアウト図をもとに、顧客動線イメージを示している。
図３では顧客が店舗に入場してから退場するまでの一連のフローを示している。
まず、顧客がカート１０を使用して店舗内を回遊する。カート１０に搭載された組み込みＰＣ１３は表示装置を備えており、例えば、組み込みＰＣ１３に売れ筋商品の商品案内情報を表示させることが可能である。
【００３８】
（１）ステップＳ１０１
まず、顧客は店舗に来店し、カート１０と共に、店舗内を回遊する。
（２）ステップＳ１０２
顧客が店舗を回遊している間、商品ケース２０にカート１０が近づくと、カート１０に設置されているアンテナ（センサー）１１がＲＦＩＤタグ２１を電磁誘導方式又は電波方式により自動認識する。
（３）ステップＳ１０３
アンテナ（センサー）１１が自動認識した後、ＲＦＩＤリーダ／ライター１２により読み取ったＲＦＩＤタグ２１の情報は、組み込みＰＣ１３に登録される。なお、組み込みＰＣ１３への電力供給は、通常のバッテリー以外にエネルギー変換器１４を用いる。客がカート１０を動かすことにより運動エネルギーを電気エネルギーに変換して供給したり、光エネルギーから電気エネルギーに変換して供給することを可能にする。
（４）ステップＳ１０４
組み込みＰＣ１３はネットワークを用いて、登録された情報を、顧客購買情報分析サーバ３０上の動線情報データベースに登録する。なお、動線情報データベースは、動線情報３１を格納する。
（５）ステップＳ１０５
決済時に顧客がレジ（ｃａｓｈ  ｒｅｇｉｓｔｅｒ：金銭出納器）でポイントカードを提示すると、レジは、本社サーバにアクセスして、「誰が買ったか」を示す顧客基本情報データベースを参照し、「誰がどの商品を何個買ったか」を示す購入データを顧客購買データベースに登録する。本社サーバは、図１の顧客購買情報分析サーバ３０及び販売管理ＰＯＳサーバ４０に該当する。顧客基本情報データベースは、顧客情報４１を格納する。顧客購買データベースは、購買情報４２を格納する。また、「店舗内でどのようなプロセスを踏んで購入に至ったか」を示す動線情報と顧客基本情報データが関連付けられる。また、ポイントカードを提示しない場合でも動線情報は登録されている。
（６）ステップＳ１０６
顧客は、レジでの決済が完了すると、店舗から退出する。
（７）ステップＳ１０７
本社サーバは、取得した大量のデータから、経営上において有用な結果（データの相関関係）を見つけ出す手法であるデータマイニングを用いて分析する。分析の具体的なイメージとしては、店内レイアウト（陳列場所）、陳列データ（陳列位置、フェイス数）、コーザルデータ（季節、天候、温度、湿度）、顧客属性データ、購買データ（商品、数量）、動線情報を含むデータウェアハウスをデータマイニング手法により分析する。回遊性を高めるために、データの相関関係を見つけ出し、フィードバックすることが目的である。
【００３９】
なお、組み込みＰＣ１３のタイマー機能を用いて、アンテナ（センサー）１１が前のＲＦＩＤタグ２１を認識してから、次のＲＦＩＤタグ２１を認識するまでの間に経過した経過時間をカウントするようにしても良い。或いは、アンテナ（センサー）１１がＲＦＩＤタグ２１を最初に認識してから、該ＲＦＩＤタグ２１を認識しなくなるまでの間に経過した経過時間をカウントするようにしても良い。
これらの経過時間を動線情報データベースに登録することにより、顧客が商品ケース間を移動するのに要する時間を把握することや、顧客がどの商品ケース２０の近くに長く滞在していたかを分析することが可能になる。これらの結果は、店舗内のレイアウトや商品の配置を変更する際に参考とすることができる。
【００４０】
本実施形態における「店舗」は、必ずしも１店舗の１フロアに限定されない。例えば、複数のフロアを有する大型店舗の場合、動線情報をフロア毎に分析する以外に、全フロアまとめて分析することが可能である。また、１号館、２号館というように複数の建物に分かれており連絡通路でつながっている店舗においても、全ての建物における動線情報をまとめて分析することが可能である。更に、コンビニエンスストアのように、複数の系列店が存在する場合、１店舗の動線情報のみで分析する以外に、同じ地域（エリア）に属する全ての店舗における動線情報を分析することも考えられる。
【００４１】
図４は、効果に至るプロセスを顧客、店舗軸で示している。
（１）ステップＳ２０１
顧客は、ＲＦＩＤ対応のショッピングカートと共に店舗内を回遊し、ＲＦＩＤタグ付き商品ケースに近づいた時、ショッピングカートがＲＦＩＤタグに記録された情報を取得する。
（２）ステップＳ２０２
ショッピングカートが取得した情報をネットワーク経由で受信した店舗側の分析用サーバは、その情報を基に、顧客の店舗内をどのように回遊したかを示す動線情報を作成する。
（３）ステップＳ２０３
顧客がレジで決済する時、レジは、売上を示す販売情報を分析用サーバに登録する。
（４）ステップＳ２０４
分析用サーバは、動線情報や販売情報を基に、顧客情報登録や、顧客動線情報分析、ＰＯＳ情報分析を行う。
（５）ステップＳ２０５
店舗は、顧客情報や、顧客動線情報分析及びＰＯＳ情報分析の結果に基づいて、商品や商品ケースの配置といった店舗内のレイアウトの変更を行ったり、商品の売上に応じた仕入商品の最適化を行ったりする。
（６）ステップＳ２０６
店舗レイアウトの変更や、仕入商品の最適化を行うことにより、顧客の店舗内回遊率の向上や、客単価のアップを図る。
【００４２】
本特許では、個々の商品ではなく、商品棚にＲＦＩＤタグを設置するため、設置コスト削減や保守運用面でメリットがある。
【００４３】
なお、カート１０の組み込みＰＣ１３、顧客購買情報分析サーバ３０、及び販売管理ＰＯＳサーバ４０は、各々、前述した動作を実施するためのプログラムを記憶していても良い。例えば、カート１０の組み込みＰＣ１３は移動体用プログラムを記憶する。顧客購買情報分析サーバ３０は分析用プログラムを記憶する。販売管理ＰＯＳサーバ４０はＰＯＳサーバ用プログラムを記憶する。
【００４４】
次に、本発明の第２実施形態の構成について図面を参照して説明する。
本発明は、人（顧客）やモノ（商品）の移動を示す動線を収集／分析する用途であれば、どのような用途にも応用できる。
そのための汎用的な実施イメージ図を図５に示す。
例えば、ＲＦＩＤ対応のカート１０をハンディターミナル６０に変更することで、分析対象を顧客では無く従業員とすることが可能である。
ハンディターミナル６０は、カート１０と同じく、アンテナ（センサー）１１と、ＲＦＩＤリーダ／ライター１２と、組み込みＰＣ１３と、エネルギー変換器１４を備える。
【００４５】
例えば、コンビニエンスストアでの棚卸作業時に、通常と棚卸作業と合わせて、ムダな動作をしていないかを分析することで従業員動線を最小化させることが可能になる。
収益率を向上させるためには売上を向上させるか、又は費用を低減させることが必要になる。第１実施形態では、いかに売上を向上させるか（顧客動線）に視点を置いていたが、第２実施形態では、いかに費用を低減させるか（従業員動線）に視点を置いているところに相違点がある。
【００４６】
なお、実際には、第１実施形態と第２実施形態とを組み合わせて実施することも可能である。例えば、カート１０やハンディターミナル６０に搭載された組み込みＰＣ１３が、銅線情報と共に、顧客か従業員かを示す識別情報を送信するようにする。組み込みＰＣ１３により送信される識別情報が、顧客を示す識別情報であれば第１実施形態、従業員を示す識別情報であれば第２実施形態を実施する。これにより、１つのシステムで顧客の購買動向と従業員の作業動向の両方を分析することが可能となる。
【００４７】
更に、本発明の第３実施形態として、カート１０やハンディターミナル６０の代わりに、携帯電話機を用いても良い。例えば、携帯電話機に、カート１０やハンディターミナル６０と同じ機能を果たすためのアプリケーション（ソフトウェア）を導入することで、携帯電話機を用いて本発明を実施することが可能である。この場合、携帯電話機が、ＲＦＩＤタグの情報を読み取り、その情報を顧客購買情報分析サーバ３０や販売管理ＰＯＳサーバ４０に送信する。店舗側は、顧客や従業員の携帯電話機にアプリケーションを提供するだけで良く、ＲＦＩＤリーダ付きのカート１０やハンディターミナル６０を用意せずとも本発明を実施可能であり、設備や経費の削減につながる。無論、携帯電話機に限らず、ＰＤＡ（Ｐｅｒｓｏｎａｌ  Ｄｉｇｉｔａｌ  Ａｓｓｉｓｔａｎｃｅ）や携帯ゲーム機、カーナビゲーションシステムを用いても良い。ＲＦＩＤリーダ／ライター機能と無線通信機能を有する携帯端末であれば、本実施形態は実施可能である。
【００４８】
なお、上記の各実施形態の説明では、店舗内を例にしているが、実際には店舗に限定されるものではない。例えば、第３実施形態のように携帯電話機を始めとする携帯端末を用いることで、会社や学校、図書館、病院といった建物内において本発明の実施が可能である。これにより、社員や生徒、図書館の利用者、病院内の患者の回遊性を分析することが可能になる。また、テーマパークにおいて、利用客がどの店舗やアトラクションを利用したかを示す動線情報を収集することも可能である。この時、店舗やアトラクションの入口や内部にＲＦＩＤタグを設置することが考えられる。
更に、利用エリアを拡大するならば、１つの街や商店街を対象とした本発明の実施も可能である。例えば、各々の建築物や店舗の入口や内部にＲＦＩＤタグを設置する。この場合、携帯電話機に限らず、カート１０やハンディターミナル６０と同様に、ＲＦＩＤリーダ／ライターや組み込みＰＣを備える自転車や自動車を利用して、本発明を実施することも考えられる。これにより、どの施設がより多くの利用者に利用されているか、どの年代の人々がどのような場所に集中するかといった集客性の分析が可能になり、都市計画やイベント企画、マーケティングに役立てることができる。
【００４９】
また、本発明の説明における、カート１０やハンディターミナル６０、携帯電話機は、移動体の例であり、これらに限定されるものではない。実際には、ＲＦＩＤリーダ／ライター機能と無線通信機能を有し、顧客（利用者）と共に移動する移動体又は端末であれば良い。他の例として、顧客（利用者）が身に付ける電子的な機器や装飾品、顧客（利用者）が利用する乗り物、又はその乗り物に搭載された通信機器が考えられる。
【００５０】
以上のように、本発明は、ＲＦＩＤ技術を利用し、来場客の動線を分析する方法を提供する。本発明の概略図は図１に示す通りである。ＲＦＩＤリーダ／ライター１２を備えた商品カート１０が店舗内を回遊し、商品ケース２０に設置してあるＲＦＩＤタグ情報を読み取る。決済時に顧客がカードを提示すると、該当顧客の顧客情報や購買情報（氏名、年齢、動線、購買商品リスト）が収集される。カードを提示しない場合でも、購買情報（動線）が収集される。これによって、推測に頼っていた顧客動線情報を秒単位まで分析することが可能になる。データマイニング分析により、顧客（外部）視点では、客足の多い売り場のコーナーを再配置したり、顧客のお気に入り商品だけを集めることで店舗回遊性の向上が期待できる。また、店舗（内部）視点では、仕入商品の最適化で収益率の向上が期待できる。
【図面の簡単な説明】
【００５１】
【図１】図１は、本発明の構成を示す概略図である。
【図２】図２は、店舗レイアウト図をもとに、顧客動線イメージを示す図である。
【図３】図３は、顧客が店舗に入場してから退場するまでの一連のフローを示す図である。
【図４】図４は、効果に至るプロセスを顧客、店舗軸で示す図である。
【図５】図５は、汎用的な実施イメージ図である。
【符号の説明】
【００５２】
１０…  ショッピングカート（カート）
１１…  アンテナ（センサー）
１２…  ＲＦＩＤリーダ／ライター
１３…  組み込みＰＣ
１４…  エネルギー変換器
２０…  ＲＦＩＤタグ付き商品ケース（商品ケース）
２１…  ＲＦＩＤタグ
３０…  顧客購買情報分析サーバ
３１…  動線情報
４０…  販売管理ＰＯＳサーバ
４１…  顧客情報
４２…  購買情報
５０…  分析用クライアント
６０…  ハンディターミナル
【図１】
2007257335.tif 000003
【図２】
2007257335.tif 000004
【図３】
2007257335.tif 000005
【図４】
2007257335.tif 000006
【図５】
2007257335.tif 000007